【事件の表示】
　特願２０００−３５０４８９「信号を生成する方法」拒絶査定不服審判事件〔平成１３年　７月　６日出願公開、特開２００１−１８５９５８〕について、次のとおり審決する。
【結　論】
　本件審判の請求は、成り立たない。
【理　由】
１．手続の経緯
　本願は、平成１２年１１月１７日（パリ条約による優先権主張１９９９年１１月１９日、米国）の出願であって、平成１８年１０月１１日付けで拒絶理由通知がなされ、平成１９年４月１３日付けで手続補正がなされたが、同年１２月１７日付けで拒絶査定がなされ、これに対し、平成２０年３月１８日に拒絶査定不服審判の請求がなされたものである。
　
２．本願発明
　本願の請求項１に係る発明は、平成１９年４月１３日付けの手続補正書により補正された明細書及び図面の記載からみて、その特許請求の範囲の請求項１に記載されたとおりの次のものと認める。（以下、「本願発明」という。）
「少なくとも１つの信号を生成するための方法であって、
　増幅すべき信号を分割して、第１および第２の信号バージョンを生成するステップと、
　該第２の信号バージョンを遅延回路内で遅延させて、該第１の信号バージョンの時間遅延バージョンを生成するステップと、
　該第１の信号バージョンと該時間遅延バージョンを結合器内で結合して、低減された最大値対平均値電力比を有する少なくとも１つの変換信号を生成するステップと、
　後に逆変換される該少なくとも１つの変換信号を増幅するステップと、を含むことを特徴とする方法。」
　
３．引用例
　原査定の拒絶の理由に引用された特開平１１−２３４０６６号公報（以下、「引用例」という。）には、図面とともに次の事項が記載されている。
　
Ａ．「【０００１】
【産業上の利用分野】本発明は一般に、伝送のために複数の信号を増幅するために使用される並列増幅システムに関し、特に所望の信号の方向に伝送される相互変調積のレベルを低下させる方法および装置に関する。」
　
Ｂ．「【００１５】
【発明の実施の形態】本発明は、一般に、マイクロ波中継器や衛星リレー（それらに限定されない）のような線形増幅器システムに適用可能である。増幅された出力におけるＩＭＤ積を低下させるために本発明が使用する一般的な方法は、振幅が周波数の関数として互いに変化する多信号に複合入力信号をコード化し、コード化された信号を増幅し、コード化プロセスと逆に行われる相補的な方式で増幅された信号を復号し、それによってもとの複合入力信号を増幅された形態で復元する。このようなＩＭＤ積は、コード化プロセスではなく復号化プロセスを受けているため、所望の出力信号と区別される。図１には、本発明の１実施形態のブロック図が示されており、エンコーダ部分が参照符号2 で示され、デコーダ部分が符号4 で示され、増幅器部分が符号6 で示されている。
【００１６】好ましい実施形態において、１：Ｎ電力分割器8 は、入力端子10における多周波数入力信号を、分割器出力ライン12ａ，12ｂ，12ｃ，…12Ｎ上のＮ個の分割された信号に分割する。分割された信号は互いに等しい電力を有することができ、あるいはそれらは異なる電力レベルを有することができるが、その場合には復号部分における異なる電力レベルに対して相補型の電力結合器によってもとの信号波形を復元するように加重される。
【００１７】分割された信号は各時間遅延素子14ａ，14ｂ，14ｃ，…14Ｎに供給され、これらの各時間遅延素子が周波数の関数として変化する分割された信号の間に相対的な位相シフトを導入する。その結果、分割された信号は、それらの周波数の関数として電力振幅が互いに変化すると共にそれらの位相分布が互いに変化する。分割された各信号は入力信号波長帯にわたる多数の周波数を搬送するため、所定の分割された信号に与えられる時間遅延によって、関心のある重要な帯域幅に対する周波数の関数である位相シフトが生成される。
【００１８】図１において、ライン12ａ上の第１の分割された信号は遅延されず、一方、残りのライン12ｂ，12ｃ，…12Ｎ上の分割された信号は増分τで線形的に増加する時間遅延を与えられ、ライン12ｂ上の信号は１τだけ遅延され、ライン12ｃ上の信号は２τだけ遅延されるというように順次遅延され、（Ｎ−１）τだけ遅延されるライン12Ｎ上の信号まで遅延が与えられる。分割された各入力信号に対する位相遅延が周波数の関数として線形的に変化するように、τは定数であることが好ましい。もっとも、τが周波数の関数として変化するシステムもまた構成可能である。同様に、それぞれ連続する分割された信号に対する時間遅延は、一定した増分で増加されることが好ましい。しかしながら、連続する分割された信号間の時間遅延の差がある信号と次の信号とで変化するシステムもまた構成可能である。理論的には、τとして多数の異なる値を選択できるが、τが複合入力信号の帯域幅で除算した４πの整数倍であるときに、最適な結果が得られている。その結果は、ＩＭレベルの改良が増幅器間における振幅および位相の不均衡に対してほとんど反応しない点で最適である。
【００１９】遅延された分割された信号は、好ましくはハイブリッドカップラ・バトラーマトリクスとして構成されたＮ×Ｎマトリクス16に入力として供給され、このマトリクスは、出力ライン18ａ，18ｂ，18ｃ，…18Ｎ上のそのが異なる各マトリクス入力からの影響を含むようにその入力を分配する。バトラーマトリクスはよく知られており、たとえば文献（Electronics Engineers' Handbook,Fink and Christiansen,ed.,Third Edition 1989,pages 25-61 - 25-62）に記載されている。
【００２０】コード化されたマトリクス出力は、各電力増幅器20ａ，20ｂ，20ｃ，…20Ｎに供給され、これらの増幅器は衛星用として典型的に固体電力増幅器（ＳＳＰＡ）または進行波管増幅器（ＴＷＴＡ）であるが、一般に多周波数入力に応答してＩＭＤを導入する任意の電力増幅器であってよい。
【００２１】デコーダ部分4 は、やはりハイブリッドカップラ・バトラーマトリクスであることが好ましい逆Ｎ×Ｎマトリクス22、それぞれその遅延が素子14ａ，14ｂ，14ｃ，…14Ｎと等しいマトリクス出力における一連の時間遅延素子24ａ，24ｂ，24ｃ，…24Ｎ、および時間遅延素子24ａ…24Ｎからの信号を端子28で出力される信号に結合するＮ：１電力結合器26から構成されている。復号マトリクス22、時間遅延素子24ａ乃至24Ｎおよび電力結合器26は、対応したコード化素子8 、時間遅延素子14ａ乃至14ＮおよびＮ×Ｎマトリクス16とは逆の順序で配置されており、相補的な方式で増幅器出力に作用して、出力端子28においてもとの入力信号を増幅された形態で復元する。以下、マトリクスがこの信号復元を行うように動作する方式を図３を参照してさらに詳細に説明する。電力結合器26は、ハイブリッドカップラのネットワークにより構成された通常のマイクロ波伝送ラインネットワークであることができ、信号ポート以外の結合器の全ての出力が負荷で終端される。
【００２２】増幅器20ａ乃至20Ｎは、それらが増幅した信号成分中にＩＭＤを導入する。コード化電力分割器8 の出力は互いにコヒーレント（互いに同位相）であり、かつコード化時間遅延素子14ａ乃至14Ｎおよびマトリクス16は、復号マトリクス22および時間遅延素子24ａ乃至24Ｎの相補型であるため、入力ライン30ａ，30ｂ，30ｃ…30Ｎから電力結合器26への信号成分もまた互いにコヒーレントであり、コヒーレントな加法で結合して、出力端子28においてもとの入力信号を増幅された形態で再生する。しかしながら、増幅器によって導入されるＩＭＤ成分は、増幅された入力が異なるので、各増幅器について異なっており、また電力結合器26への入力におけるＩＭＤ成分は、コード化プロセスではなく復号プロセスだけを受けているため、相関されず、互いに非コヒーレントである。復号遅延および結合プロセスの後でさえ、２つのＩＭＤ成分がほとんど相関されていない状態であり、ほぼ電力ベースで加算する。しかしながら、所望の信号成分は、コヒーレントに結合し、電圧ベースで加算する。したがって、ＩＭＤ成分は電力結合器26においてコヒーレントに結合せず、それ以外の場合よりもはるかに小さいレベルのＩＭＤが出力端子28に送られる。したがって、電力結合器26は、信号成分をコヒーレントに結合するが、ＩＭＤ成分を非コヒーレントに結合することにより、復号された増幅された信号成分を復号されたＩＭＤ成分から効率的に分離する。ＩＭＤの一部分だけが出力28に到達する。残りのＩＭＤ電力は、電力結合器26の内部の負荷に送られる。」
　
　上記Ａ，Ｂの記載及び関連する図面を参照すると、引用例には、実質的に、次の発明が記載されているものと認められる。（以下、「引用例記載の発明」という。）
「出力端子28から出力される信号を生成するための方法であって、
　入力端子10における多周波数入力信号を分割して、ライン12ａ上の第１の分割された信号および残りのライン12ｂ，12ｃ，…12Ｎ上の分割された信号を生成するステップと、
　上記ライン12ｂ，12ｃ，…12Ｎ上の分割された信号を時間遅延素子14ｂ，14ｃ，…14Ｎで遅延させて、上記ライン12ａ上の第１の分割された信号の時間遅延バージョンを生成するステップと、
　上記ライン12ａ上の第１の分割された信号と上記時間遅延バージョンをＮ×Ｎマトリクス16で結合して、出力ライン18ａ，18ｂ，18ｃ，…18Ｎ上のＮ個のコード化された出力を生成するステップと、
　後に復号される上記出力ライン18ａ，18ｂ，18ｃ，…18Ｎ上のＮ個のコード化された出力を増幅するステップと、を含む方法。」
　
４．対比
　本願発明と引用例記載の発明とを対比すると、引用例記載の発明における「出力端子28から出力される信号」、「入力端子10における多周波数入力信号」、「ライン12ａ上の第１の分割された信号」、「残りのライン12ｂ，12ｃ，…12Ｎ上の分割された信号」、「時間遅延素子14ｂ，14ｃ，…14Ｎ」、「Ｎ×Ｎマトリクス16」、「出力ライン18ａ，18ｂ，18ｃ，…18Ｎ上のＮ個のコード化された出力」、「復号」は、それぞれ、本願発明における「少なくとも１つの信号」、「増幅すべき信号」、「第１の信号バージョン」、「第２の信号バージョン」、「遅延回路」、「結合器」、「少なくとも１つの変換信号」、「逆変換」に相当するから、本願発明と引用例記載の発明とは、次の点で一致し、また、相違するものと認められる。
　
（一致点）
　本願発明と引用例記載の発明とは、ともに、
「少なくとも１つの信号を生成するための方法であって、
　増幅すべき信号を分割して、第１および第２の信号バージョンを生成するステップと、
　該第２の信号バージョンを遅延回路内で遅延させて、該第１の信号バージョンの時間遅延バージョンを生成するステップと、
　該第１の信号バージョンと該時間遅延バージョンを結合器内で結合して、少なくとも１つの変換信号を生成するステップと、
　後に逆変換される該少なくとも１つの変換信号を増幅するステップと、を含む方法。」
である点。
　
（相違点）
　「第１の信号バージョンと時間遅延バージョンを結合器内で結合して、少なくとも１つの変換信号を生成するステップ」が、本願発明においては、「第１の信号バージョンと時間遅延バージョンを結合器内で結合して、
低減された最大値対平均値電力比を有する
低減された最大値対平均値電力比を有する
　
５．当審の判断
　そこで、上記相違点について検討する。
　上記「
低減された最大値対平均値電力比を有する
　「【００３３】
　図２は図１における信号増幅システム１０の実施形態５０を示し、この中でオリジナル信号Ｓ（ｔ）は変換信号Ｘ１乃至Ｘｎに変換される。変換信号Ｘ１乃至Ｘｎは増幅された後に合成されて、送信のためのオリジナル信号が生成される。増幅システム５０において、オリジナル信号Ｓ（ｔ）は、変換ブロック５２でその時間遅延されたバージョンを平均又は合成することにより変換信号Ｘ１乃至Ｘｎに変換され、増幅器ＡＭＰ１乃至ＡＭＰｎそれぞれでの増幅のために、低減されたＰＡＲをもつ変換信号Ｘ１乃至Ｘｎが生成される。」
　上記段落【００３３】の記載によれば、本願のものは、「オリジナル信号Ｓ（ｔ）」を「変換ブロック５２でその時間遅延されたバージョンを平均又は合成する」ことにより「変換信号Ｘ１乃至Ｘｎ」に変換し、もって「低減されたＰＡＲをもつ変換信号Ｘ１乃至Ｘｎ」を生成するようにするとされている。
　そして、上記のように「時間遅延されたバージョンを平均又は合成する」ことにより、何故「低減されたＰＡＲをもつ」ようになるかについては、段落【００１６】に、「実施形態によれば、増幅される信号は、オリジナル信号のオフセットバージョンを組み合わせることによって、変換信号に変換することができる。そのことにより、時間軸上で拡散された信号のエネルギーを有する変換信号を生成することができ、また、平均電力比（ＰＡＲ）に対して低減されたピーク値を有する変換信号を生成することができる。」と記載されているように、変換信号が「時間軸上で拡散された信号のエネルギーを有する」ようなものであるからと解される。
　しかるに、引用例記載の発明においても、「ライン12ａ上の第１の分割された信号」とその「時間遅延バージョン」が「Ｎ×Ｎマトリクス16」で結合されるのであるから、「出力ライン18ａ，18ｂ，18ｃ，…18Ｎ上のＮ個のコード化された出力」は、本願発明と同様に「時間軸上で拡散された信号のエネルギーを有する変換信号」となるものと解され、「低減されたＰＡＲをもつ変換信号」となるものと解される。
　よって、引用例記載の発明においても、「時間遅延バージョン」を結合するという本願発明と同様の構成を有する以上、引用例に明示されていなくとも、「変換信号」は「
低減された最大値対平均値電力比を有する
　
６．むすび
　以上のとおり、本願発明は、引用例記載の発明に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。